(57)【特許請求の範囲】
【請求項１】
エレベータのかご上の保守作業を実施する際に、かごの上昇を機械的に制限するために用いられるエレベータのかご上保守作業用治具であって、
前記かご上へのアクセスを容易にする位置でかごを停止させた後、保守作業員が前記かご上に乗り込む前に、一端を乗場側に設置させるとともに、かご側に突出した他端を前記かごと機械的に当接させることで、前記かごの上昇を機械的に制限する保守作業用治具を備え、
前記保守作業用治具は、
伸縮自在な構造を有し、乗場の高さ方向に固定可能な乗場側突っ張り棒と、
前記乗場側突っ張り棒と一体構成されることで一端が前記乗場に固定されるとともに他端がかご側に突出するベース部を有し、前記ベース部に取り付けられ、伸縮自在な構造を有し、前記かごと当接させることで前記かごの上昇を機械的に制限するかご側突っ張り棒と
を有することを特徴とするエレベータのかご上保守作業用治具。
【請求項２】
請求項１に記載のエレベータのかご上保守作業用治具において、
前記乗場側突っ張り棒は、前記かご上へのアクセスを容易にする階段状構造物と一体化した構造を有することを特徴とするエレベータのかご上保守作業用治具。
【請求項３】
エレベータのかご上の保守作業を実施する際に、かごの上昇を機械的に制限するために用いられるエレベータのかご上保守作業用治具であって、
前記かご上へのアクセスを容易にする位置でかごを停止させた後、保守作業員が前記かご上に乗り込む前に、一端を乗場側に設置させるとともに、かご側に突出した他端を前記かごと機械的に当接させることで、前記かごの上昇を機械的に制限する保守作業用治具を備え、
前記保守作業用治具は、
乗場敷居へ取り付け可能であり、かご側に伸びた梁を前記かごと当接させることで前記かごの上昇を機械的に制限し、
前記乗場敷居に設けられたゴミ落とし穴に差し込むことで前記乗場敷居へ取り付け可能であり、かつ。前記ゴミ落とし穴に差し込んだ後に回転させることで先端部である前記梁を前記かごと当接させる
ことを特徴とするエレベータのかご上保守作業用治具。
【請求項４】
エレベータのかご上の保守作業を実施する際に、かごの上昇を機械的に制限するために用いられるエレベータのかご上保守作業用治具であって、
前記かご上へのアクセスを容易にする位置でかごを停止させた後、保守作業員が前記かご上に乗り込む前に、一端を乗場側に設置させるとともに、かご側に突出した他端を前記かごと機械的に当接させることで、前記かごの上昇を機械的に制限する保守作業用治具を備え、
前記保守作業用治具は、
乗場敷居へ取り付け可能であり、かご側に伸びた梁を前記かごと当接させることで前記かごの上昇を機械的に制限し、
前記梁に設けられた高さ調整機構を有する
ことを特徴とするエレベータのかご上保守作業用治具。
【請求項５】
請求項３に記載のエレベータのかご上保守作業用治具において、
前記保守作業用治具は、前記梁に設けられた高さ調整機構を有する
ことを特徴とするエレベータのかご上保守作業用治具。
【請求項６】
請求項４または５に記載のエレベータのかご上保守作業用治具において、
前記高さ調整機構は、前記梁にヒンジを介して取り付けられた調整板で構成されることを特徴とするエレベータのかご上保守作業用治具。
【請求項７】
請求項４または５に記載のエレベータのかご上保守作業用治具において、
前記高さ調整機構は、前記梁に取り付けられ、伸縮自在な構造を有する突っ張り棒で構成されることを特徴とするエレベータのかご上保守作業用治具。
【発明の詳細な説明】
【技術分野】
【０００１】
本発明は、作業員がエレベータのかご上に搭乗して保守点検作業を行うために用いられるエレベータのかご上保守作業用治具に関する。
【背景技術】
【０００２】
巻上機や制御盤を昇降路内の上部に収めたエレベータの保守作業では、例えば、かご上搭乗時のエレベータの運転を制限する技術がある（例えば、特許文献１参照）。また、同様の保守作業時において、かご上搭乗後に物理的にかごの上昇を防ぐ手段を設置する技術もある（例えば、特許文献２、３参照）。
【先行技術文献】
【特許文献】
【０００３】
【特許文献１】特開２００１−２４７２７２号公報
【特許文献２】国際公開第２００２／０９８７８０号パンフレット
【特許文献３】特開２００４−１１５２４４号公報
【発明の概要】
【発明が解決しようとする課題】
【０００４】
しかしながら、従来技術には、以下のような課題がある。
特許文献１は、制御的にかご上搭乗時のエレベータの運転を制限するものであり、物理的にかごの上昇を止めるわけではない。このため、何らかの原因でロープやブレーキが滑った場合には、かごが突き上げられ、作業員がかご上に閉じ込められる可能性がある。一方、特許文献２、３は、物理的にかごの上昇を止めるものである。しかしながら、保守作業員がかご上に搭乗した後に設置するものであるため、搭乗から設置までの間にかごが滑り始めた場合には、かごを止めることができない。
【０００５】
本発明は、かかる問題点を解決するためになされたもので、保守作業員がかご上に搭乗する前に、かごの上昇を機械的に制限することができるエレベータのかご上保守作業用治具を得ることを目的とする。
【課題を解決するための手段】
【０００６】
本発明に係るエレベータのかご上保守作業用治具は、エレベータのかご上の保守作業を実施する際に、かごの上昇を機械的に制限するために用いられるエレベータのかご上保守作業用治具であって、かご上へのアクセスを容易にする位置でかごを停止させた後、保守作業員がかご上に乗り込む前に、一端を乗場側に設置させるとともに、かご側に突出した他端をかごと機械的に当接させることで、かごの上昇を機械的に制限する保守作業用治具を備え、保守作業用治具は、伸縮自在な構造を有し、乗場の高さ方向に固定可能な乗場側突っ張り棒と、乗場側突っ張り棒と一体構成されることで一端が乗場に固定されるとともに他端がかご側に突出するベース部を有し、ベース部に取り付けられ、伸縮自在な構造を有し、かごと当接させることでかごの上昇を機械的に制限するかご側突っ張り棒とを有するものである。
【発明の効果】
【０００７】
本発明に係るエレベータのかご上保守作業用治具によれば、保守作業員がかご上に乗り込む前に、一端が乗場側に取り付け可能な構造であるとともに、かご側に突出させた他端をかごと機械的に当接させる構造を備えた治具を用いることで、保守作業員がかご上に搭乗する前に、かごの上昇を機械的に制限することができるエレベータのかご上保守作業用治具を得ることができる。
【図面の簡単な説明】
【０００８】
【図１】本発明の実施の形態１におけるエレベータのかご上保守作業用治具を示す図である。
【図２】本発明の実施の形態２におけるエレベータのかご上保守作業用治具を示す図である。
【図３】本発明の実施の形態２におけるエレベータのかご上保守作業用治具の斜視図である。
【図４】本発明の実施の形態２におけるエレベータのかご上保守作業用治具の斜視図である。
【図５】本発明の実施の形態２におけるエレベータのかご上保守作業用治具の斜視図である。
【発明を実施するための形態】
【０００９】
以下、本発明のエレベータのかご上保守作業用治具の好適な実施の形態につき図面を用いて説明する。
【００１０】
実施の形態１．
図１は、本発明の実施の形態１におけるエレベータのかご上保守作業用治具を示す図である。図１において、巻上機１等の保守作業実施の際に、保守作業員は、かご２の上に乗り込む必要がある。本実施の形態１では、このような保守作業を行う前（すなわち、保守作業員がかご２上に乗り込む前）に、かごの上昇を機械的に制限することができる治具１０（符号１０は、図示せず）を、乗場３側に設置している。
【００１１】
具体的には、本実施の形態１における治具１０は、ロッド１１ａおよびねじ棒１１ｂを有する乗場側突っ張り棒１１と、ベース１２ａおよびねじ棒１２ｂを有するかご側突っ張り棒１２とを備えている。
【００１２】
乗場側突っ張り棒１１は、一端に雌ねじを有するロッド１１ａと、ねじ棒１１ｂで構成されており、ねじ棒１１ｂを回転させることで、ロッド１１ａに対してねじ棒１１ｂを伸縮させることができる。また、ロッド１１ａは、かご側突っ張り棒１２のベース１２ａと一体に構成されている。これにより、乗場側突っ張り棒１１を乗場３に固定することで、ベース１２ａも乗場３に固定される。
【００１３】
ベース１２ａのかご側に施工した雌ねじ部分には、ねじ棒１２ｂが取り付けられている。そして、ねじ棒１２ｂを回転させることで、ねじ棒１２ｂをベース１２ａに対して上下方向に移動させることができる。これにより、かご上に乗り込む前に、かごの上昇を機械的に制限することができる。
【００１４】
このように、乗場側突っ張り棒１１、かご側突っ張り棒１２は、伸縮自在であるため、様々な乗場高さに対応でき、また、かご２を任意の位置で止めることができる。
【００１５】
さらに、かご上へのアクセスを容易にするために用いる階段１３を、乗場側突っ張り棒１１のロッド１１ａと物理的に固定（一体化）した構造とすることができる。このような構造とすることで、治具保管時の収納性、治具を移動するときの持ち運び性も向上させることができる。なお、階段１３が不要な場合には、乗場側突っ張り棒１１のロッド１１ａと階段１３とを着脱可能な構成にしてもよい。
【００１６】
以上のように、実施の形態１によれば、保守作業員がかご上に乗り込む前に、一端を乗場側に設置し、かご側に突出した他端をかごと機械的に当接させる治具を用いている。これにより、保守作業を行う前に、かごの上昇を機械的に制限することができる。さらに、着脱可能な階段を用いることで、かご上へのアクセスを容易にできるとともに、治具保管時の収納性、治具を移動するときの持ち運び性も向上させることができる。
【００１７】
実施の形態２．
本実施の形態２では、先の実施の形態１とは異なる構成の治具２０（符号２０は、図示せず）を用いて、保守作業員がかご上に乗り込む前にかごの上昇を機械的に制限する場合について説明する。
【００１８】
図２は、本発明の実施の形態２におけるエレベータのかご上保守作業用治具を示す図である。本実施の形態２における治具２０は、乗場３の敷居３ａに取り付けられた保守用治具２１で構成されている。このような保守用治具２１の梁をかご側に伸ばすことで、かご床４が上昇することを機械的に防ぐことができる。
【００１９】
以下、本実施の形態２における保守用治具２１の詳細構成について、図３〜図５を用いて説明する。図３は、本発明の実施の形態２におけるエレベータのかご上保守作業用治具の斜視図である。図３に示すように、コの字型の保守用治具２１の下辺を、乗場の敷居３ａのゴミ落とし穴３ｂの下に位置させた後、９０°回転させることで、容易に取り付けが可能となり、保守用治具２１の梁をかご側に伸ばすことができる。
【００２０】
また、図４は、本発明の実施の形態２におけるエレベータのかご上保守作業用治具の斜視図であり、かごとの当接部分に高さ調整機構を有している場合の一例を示している。この図４に示した保守用治具２１は、先の図３に示した保守用治具２１のかご側に伸びた梁の端部に、ヒンジ２２を介して高さ調整板２３（高さ調整機構に相当）を取り付けて構成されている。
【００２１】
図４の保守用治具２１は、乗場の敷居３ａに取り付ける際には、高さ調整板２３を図４の位置とする。そして、乗場の敷居３ａに取り付け後は、ヒンジ２２を介して高さ調整板２３を１８０°回転させて下方に位置させることで、かご２を任意の位置で止めることができる。
【００２２】
また、図５は、本発明の実施の形態２におけるエレベータのかご上保守作業用治具の斜視図であり、先の図４とは異なる構成として、かごとの当接部分に高さ調整機構を有している場合の一例を示している。この図５に示した保守用治具２１は、先の図３の保守用治具２１のかご側に伸びた梁の端部に、突っ張り棒２４（高さ調整機構に相当）を取り付けて構成されている。
【００２３】
図５の保守用治具２１は、保守用治具本体に施工した雌ねじ部分に突っ張り棒２４を取り付け、この突っ張り棒２４を回転させることで、上下方向に移動させることができ、図４に示した高さ調整板２３と同様の効果が得られる。
【００２４】
以上のように、実施の形態２によれば、保守作業員がかご上に乗り込む前に、一端を乗場の敷居に簡単に取り付け可能であり、かご側に突出した他端をかごと機械的に当接させる治具を用いている。これにより、保守作業を行う前に、かごの上昇を機械的に制限することができる。さらに、保守用治具２１のかご側に伸びた梁の端部に、高さ調整機構を設けることで、かごを任意の位置で止めることが可能となる。
【符号の説明】
【００２５】
１０  治具（保守作業用治具）、１１  乗場側突っ張り棒、１１ａ  ロッド、１１ｂ  ねじ棒、１２  かご側突っ張り棒、１２ａ  ベース（ベース部）、１２ｂ  ねじ棒、１３  階段（階段状構造物）、２０  治具（保守作業用治具）、２１  保守用治具（保守作業用治具）、２２  ヒンジ、２３  高さ調整板（高さ調整機構）、２４  突っ張り棒（高さ調整機構）。
【図１】
0005586350.tif 000002
【図２】
0005586350.tif 000003
【図３】
0005586350.tif 000004
【図４】
0005586350.tif 000005
【図５】
0005586350.tif 000006